(57)【特許請求の範囲】
【請求項１】
電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットとを備えてなる燃料電池において、
ガスケットはセパレータと対峙してガス拡散層表面上に形成され、少なくとも前記ガス拡散層のガスケット形成部位は触媒層と接する部位と比較して気孔率が低く、前記ガス拡散層のガスケット形成部位は触媒層と接する部位の平面方向に形成され、第一および第二のガス拡散層に配置した前記ガスケットは少なくとも前記第一および第二のガス拡散層を共通に貫通する貫通孔を介して一体化したことを特徴とする燃料電池。
【請求項２】
電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットとを備えてなる燃料電池において、
ガスケットはセパレータと対峙してガス拡散層表面上に形成され、少なくとも前記ガス拡散層のガスケット形成部位は触媒層と接する部位と比較して気孔率が低く、前記ガス拡散層のガスケット形成部位は触媒層と接する部位の平面方向に形成され、第一および第二のガス拡散層に配置した前記ガスケットはそれぞれのガス拡散層に設けた貫通孔を介しそれらガス拡散層の背面に設けた絶縁スペーサに繋がっていることを特徴とする燃料電池。
【請求項３】
電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットを備えてなる燃料電池において、
ガスケットはセパレータと対峙してガス拡散層表面上に形成され、少なくとも前記ガス拡散層のガスケット形成部位は触媒層と接する部位と比較して気孔率が低く、前記ガス拡散層のガスケット形成部位は触媒層と接する部位の平面方向に形成され、第一および第二のガス拡散層に配置した前記ガスケットは少なくとも前記第一および第二のガス拡散層の端部を覆い一体化したことを特徴とする燃料電池。
【請求項４】
電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットを備えてなる燃料電池において、
ガスケットはセパレータと対峙してガス拡散層表面上に形成され、少なくとも前記ガス拡散層のガスケット形成部位は触媒層と接する部位と比較して気孔率が低減され、前記ガス拡散層のガスケット形成部位は触媒層と接する部位の平面方向に形成されていることを特徴とする燃料電池。
【請求項５】
請求の範囲第３項または第４項に記載した燃料電池のガスケット製造方法において、
ガス拡散層の気孔率が低いガスケット形成部位に接着剤を塗布し、その上に予め所定形状に形成したガスケットを接合することを特徴とする燃料電池ガスケット製造方法。
【請求項６】
請求の範囲第３項または第４項に記載した燃料電池のガスケット製造方法において、
ガス拡散層の気孔率が低いガスケット形成部位に接着剤を塗布し、その上に射出成形法、プリント法、ディスペンサ法、スプレー法または圧縮成形法の少なくとも何れかの方法によりガスケットを成形することを特徴とする燃料電池ガスケット製造方法。
【請求項７】
請求の範囲第３項または第４項に記載した燃料電池のガスケット製造方法において、
ガス拡散層の気孔率が低いガスケット形成部位に、接着性ゴムを材料として射出成形法、プリント法、ディスペンサ法、スプレー法または圧縮成形法の少なくとも何れかの方法によりガスケットを成形することを特徴とする燃料電池ガスケット製造方法。
【請求項８】
請求の範囲第３項または第４項に記載した燃料電池のガスケット製造方法において、
ガス拡散層の気孔率が低いガスケット形成部位の表面粗さを確保し、その上に射出成形法、プリント法、ディスペンサ法、スプレー法または圧縮成形法の少なくとも何れかの方法によりガスケットを成形することを特徴とする燃料電池ガスケット製造方法。
【請求項９】
請求の範囲第１項ないし第４項の何れかに記載した燃料電池において、
ガス拡散層のガスケット形成部位にゴム、樹脂、カーボン、無機材料の少なくとも何れかを含浸することにより、前記ガスケット形成部位の気孔率を低減したことを特徴とする燃料電池。
【請求項１０】
請求の範囲第１項ないし第４項の何れかに記載した燃料電池において、
ガス拡散層のガスケット形成部位のかさ密度を高くし、気孔率を低減したことを特徴とする燃料電池。
【請求項１１】
請求の範囲第１項ないし第４項の何れかに記載した燃料電池において、
ガス拡散層のガスケット形成部位に予めゴム、樹脂、カーボン、無機材料の少なくとも何れかを予め含浸し、膜電極複合体と第一および第二のガス拡散層を接着した後にゴム状弾性材からなるガスケットを形成したことを特徴とする燃料電池。
【請求項１２】
請求の範囲第１項ないし第４項の何れかに記載した燃料電池に使用するガス拡散層において、
ガス拡散層のガスケット形成部位にゴムまたは樹脂が含浸され、前記含浸部の一方の面にゴムまたは樹脂からなる絶縁スペーサが形成されていることを特徴とする燃料電池用ガス拡散層。
【請求項１３】
請求の範囲第１項ないし第４項の何れかに記載した燃料電池に使用するガス拡散層において、ガス拡散層のガスケット形成部位にゴムまたは樹脂が含浸され、少なくとも前記ガス拡散層のガスケット形成部位にゴム状弾性材からなるガスケットが形成されていることを特徴とする燃料電池用ガス拡散層。
【請求項１４】
請求の範囲第１項ないし第４項の何れかに記載した燃料電池のガスケット製造方法において、
少なくとも電解質膜の両面に触媒層をそれぞれ配置した膜電極複合体の両面に第一および第二のガス拡散層を配置し接着した後に、ゴムまたは樹脂によりセパレータと対峙した前記ガス拡散層表面上へのガスケット形成およびガス拡散層のガスケット形成部位への含浸処理を同時に実施することを特徴とする燃料電池ガスケット製造方法。
【請求項１５】
請求の範囲第１項ないし第４項の何れかに記載した燃料電池において、
セパレータと対峙して第一および第二のガス拡散層表面上にそれぞれガスケットが形成された部位では、前記ガスケットは膜電極複合体を挟んで対応する位置に設けられていることを特徴とする燃料電池。
【請求項１６】
請求の範囲第１項ないし第４項の何れかに記載した燃料電池において、
セパレータには少なくともガスケットを収める溝が形成され、前記溝は前記ガスケット高さより浅く、その断面積は前記ガスケットの断面積より大きいことを特徴とする燃料電池。
【請求項１７】
請求の範囲第１項ないし第４項の何れかに記載した燃料電池において、
電解質膜の外寸法はガス拡散層の外寸法よりも小さく、前記電解質膜は前記ガス拡散層の面内部に配置されていることを特徴とする燃料電池。
【発明の詳細な説明】
【技術分野】
【０００１】
本発明は、燃料電池およびその製造方法に関するものである。
【背景技術】
【０００２】
従来から、第２１図に示すように、電解質膜５１、触媒電極５２，５３、ガス拡散層５４，５５、セパレータ５６，５７およびガスケット５８，５９を図示したように組み合わせた燃料電池が知られている。これらの構成部品にあって、電解質膜５１は、その両面に配置される触媒電極５２，５３とともに膜電極複合体（反応電極部またはＭＥＡとも称する）６０を構成しており、この膜電極複合体６０は、その両面に配置されるガス拡散層５４，５５とともにＵＥＡ６１を構成している。また第２２図に示すように、上記セパレータ５６，５７には所定の平面レイアウトをもってガス連絡溝６２が設けられており、この部分についてはガスケット５８または５９に代えてスペーサ６３が配置されている。その他の部分については、セパレータ５６，５７に固定したガスケット５８，５９が電解質膜５１を挟み込むことによりシール性を確保している。
【０００３】
しかしながら、この従来技術では、上記したようにセパレータ５６，５７に固定したガスケット５８，５９が電解質膜５１を挟み込むことによってシール性を確保しているために、ガスケット５８，５９近傍で電解質膜５１が破れ易いと云う不都合がある。電解質膜５１は電池の運転・停止による乾燥・湿潤の影響を受け易く、膜の収縮・膨張による大きなストレスを受けて短時間で破損する虞がある。また、上記従来技術では併せて、ガス連絡溝６２の部分に剛性の高いスペーサ６３を別途配置する必要があるために、電池の組立工程が繁雑であり、他の部分と電解質膜５１との接触状態が異なることからも電解質膜５１が破れ易い構造となっている。
【０００４】
更に上記従来技術では、電池の組立時に上記構成部品を順次組み付けるものであるために、この点からも組立工程が繁雑であると云う不都合がある。すなわち上記したように燃料電池は、その主な構成部品として、カーボンプレート等よりなるセパレータと、ガスを反応させるための膜電極複合体と、ガスの拡散を促進させるためのカーボン繊維等よりなるガス拡散層と、ガスや冷媒をシールするためのゴム状弾性材等よりなるガスケットとを有しているが、従来は、燃料電池の組立時にこれらの構成部品を順次組み付けているために、その組立てに多くの手間と時間がかかる不都合がある。これに対して近年、カーボンプレート上にガスケットを直接一体成形したセパレータとガスケットとの一体品が考案されているが（特開２０００−１３３２８８号公報参照）、ガス連絡溝６２の部分に剛性の高いスペーサ６３を別途配置する構造は避けられず、よって電池組立工程が繁雑となり、セパレータとＵＥＡとを交互に積する積層工程において、製造コスト低減を目的とした自動化が難しかった。
【０００５】
ガス拡散層は、カーボン繊維、金属繊維もしくは無機繊維等の繊維状物質の焼結体、織布または不織布からなり、ガス透過性が要求されるので連続通気性のある多孔質体である。したがって、剛性および強度が緻密構造体に比べて低く、加圧し過ぎると潰れて永久変形し易く、組立作業の上でハンドリング性が余り良くない。したがって、ガスケットを形成する際またはガスケットの形成後に膜電極複合体やセパレータ等と組み立てる際の位置決めや一体化するための加圧によりガス拡散層の破損、潰れあるいは変形によりガスケット形状のバラツキとなり、ガスケットと対向する相手面との間のシールに必要な面圧力が不足または過剰となることが懸念される。更に、ガス拡散層は多孔質構造であるため、ガス拡散層の層方向のガスリークが懸念される。
【０００６】
【特許文献１】特開２０００−１３３２８８号公報
【発明の開示】
【発明が解決しようとする課題】
【０００７】
本発明は以上の点に鑑みて、電解質膜が破損するのを有効に防止することができ、また燃料電池の組立工程を容易化することができ、かつ優れたシール性を発揮することが可能な燃料電池とその製造方法とを提供することを目的とする。
【０００８】
尚、本発明は水素などの気体燃料を使用する燃料電池の他、メタノールなどの液体燃料を直接使用する燃料電池（ダイレクトメタノール燃料電池）にも適用できる。
【０００９】
上記目的を達成するため、本発明の請求の範囲第１項による燃料電池は、電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットとを備えてなる燃料電池において、ガスケットはセパレータと対峙してガス拡散層表面上に形成され、少なくとも前記ガス拡散層のガスケット形成部位は触媒層と接する部位と比較して気孔率が低く、前記ガス拡散層のガスケット形成部位は触媒層と接する部位の平面方向に形成され、第一および第二のガス拡散層に配置した前記ガスケットは少なくとも前記第一および第二のガス拡散層を共通に貫通する貫通孔を介して一体化したことを特徴とするものである。
【００１０】
また、本発明の請求の範囲第２項による燃料電池は、電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットとを備えてなる燃料電池において、ガスケットはセパレータと対峙してガス拡散層表面上に形成され、少なくとも前記ガス拡散層のガスケット形成部位は触媒層と接する部位と比較して気孔率が低く、前記ガス拡散層のガスケット形成部位は触媒層と接する部位の平面方向に形成され、第一および第二のガス拡散層に配置した前記ガスケットはそれぞれのガス拡散層に設けた貫通孔を介しそれらガス拡散層の背面に設けた絶縁スペーサに繋がっていることを特徴とするものである。
【００１１】
また、本発明の請求の範囲第３項による燃料電池は、電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットを備えてなる燃料電池において、ガスケットはセパレータと対峙してガス拡散層表面上に形成され、少なくとも前記ガス拡散層のガスケット形成部位は触媒層と接する部位と比較して気孔率が低く、前記ガス拡散層のガスケット形成部位は触媒層と接する部位の平面方向に形成され、第一および第二のガス拡散層に配置した前記ガスケットは少なくとも前記第一および第二のガス拡散層の端部を覆い一体化したことを特徴とするものである。
【００１２】
また、本発明の請求の範囲第４項による燃料電池は、電解質膜の両面に触媒層をそれぞれ配置した膜電極複合体と、該膜電極複合体の両面に配置した第一および第二のガス拡散層と、前記第一および第二のガス拡散層に反応ガスをそれぞれ供給するためのセパレータと、前記反応ガスをシールするためのガスケットを備えてなる燃料電池において、ガスケットはセパレータと対峙してガス拡散層表面上に形成され、少なくとも前記ガス拡散層のガスケット形成部位は触媒層と接する部位と比較して気孔率が低減され、前記ガス拡散層のガスケット形成部位は触媒層と接する部位の平面方向に形成されていることを特徴とするものである。
【００１３】
また、本発明の請求の範囲第５項による燃料電池ガスケット製造方法は、上記した請求の範囲第３項または第４項に記載した燃料電池のガスケット製造方法において、ガス拡散層の気孔率が低いガスケット形成部位に接着剤を塗布し、その上に予め所定形状に形成したガスケットを接合することを特徴とするものである。
【００１４】
また、本発明の請求の範囲第６項による燃料電池ガスケット製造方法は、上記した請求の範囲第３項または第４項に記載した燃料電池のガスケット製造方法において、ガス拡散層の気孔率が低いガスケット形成部位に接着剤を塗布し、その上に射出成形法、プリント法、ディスペンサ法、スプレー法または圧縮成形法の少なくとも何れかの方法によりガスケットを成形することを特徴とするものである。
【００１５】
また、本発明の請求の範囲第７項による燃料電池ガスケット製造方法は、上記した請求の範囲第３項または第４項に記載した燃料電池のガスケット製造方法において、ガス拡散層の気孔率が低いガスケット形成部位に、接着性ゴムを材料として射出成形法、プリント法、ディスペンサ法、スプレー法または圧縮成形法の少なくとも何れかの方法によりガスケットを成形することを特徴とするものである。
【００１６】
また、本発明の請求の範囲第８項による燃料電池ガスケット製造方法は、上記した請求の範囲第３項または第４項に記載した燃料電池のガスケット製造方法において、ガス拡散層の気孔率が低いガスケット形成部位の表面粗さを確保し、その上に射出成形法、プリント法、ディスペンサ法、スプレー法または圧縮成形法の少なくとも何れかの方法によりガスケットを成形することを特徴とするものである。
【００１７】
また、本発明の請求の範囲第９項による燃料電池は、上記した請求の範囲第１項ないし第４項の何れかに記載した燃料電池において、ガス拡散層のガスケット形成部位にゴム、樹脂、カーボン、無機材料の少なくとも何れかを含浸することにより、前記ガスケット形成部位の気孔率を低減したことを特徴とするものである。
【００１８】
また、本発明の請求の範囲第１０項による燃料電池は、上記した請求の範囲第１項ないし第４項の何れかに記載した燃料電池において、ガス拡散層のガスケット形成部位のかさ密度を高くし、気孔率を低減したことを特徴とするものである。
【００１９】
また、本発明の請求の範囲第１１項による燃料電池は、上記した請求の範囲第１項ないし第４項の何れかに記載した燃料電池において、ガス拡散層のガスケット形成部位に予めゴム、樹脂、カーボン、無機材料の少なくとも何れかを予め含浸し、膜電極複合体と第一および第二のガス拡散層を接着した後にゴム状弾性材からなるガスケットを形成したことを特徴とするものである。
【００２０】
また、本発明の請求の範囲第１２項による燃料電池用ガス拡散層は、上記した請求の範囲第１項ないし第４項の何れかに記載した燃料電池に使用するガス拡散層において、ガス拡散層のガスケット形成部位にゴムまたは樹脂が含浸され、前記含浸部の一方の面にゴムまたは樹脂からなる絶縁スペーサが形成されていることを特徴とするものである。
【００２１】
また、本発明の請求の範囲第１３項による燃料電池用ガス拡散層は、上記した請求の範囲第１項ないし第４項に記載した燃料電池に使用するガス拡散層において、ガス拡散層のガスケット形成部位にゴムまたは樹脂が含浸され、少なくとも前記ガス拡散層のガスケット形成部位にゴム状弾性材からなるガスケットが形成されていることを特徴とするものである。
【００２２】
また、本発明の請求の範囲第１４項による燃料電池ガスケット製造方法は、上記した請求の範囲第１項ないし第４項の何れかに記載した燃料電池のガスケット製造方法において、少なくとも電解質膜の両面に触媒層をそれぞれ配置した膜電極複合体の両面に第一および第二のガス拡散層を配置し接着した後に、ゴムまたは樹脂によりセパレータと対峙した前記ガス拡散層表面上へのガスケット形成およびガス拡散層のガスケット形成部位への含浸処理を同時に実施することを特徴とするものである。
【００２３】
また、本発明の請求の範囲第１５項による燃料電池は、上記した請求の範囲第１項ないし第４項の何れかに記載した燃料電池において、セパレータと対峙して第一および第二のガス拡散層表面上にそれぞれガスケットが形成された部位では、前記ガスケットは膜電極複合体を挟んで対応する位置に設けられていることを特徴とするものである。
【００２４】
また、本発明の請求の範囲第１６項による燃料電池は、上記した請求の範囲第１項ないし第４項の何れかに記載した燃料電池において、セパレータには少なくともガスケットを収める溝が形成され、前記溝は前記ガスケット高さより浅く、その断面積は前記ガスケットの断面積より大きいことを特徴とするものである。
【００２５】
また、本発明の請求の範囲第１７項による燃料電池は、上記した請求の範囲第１項ないし第４項の何れかに記載した燃料電池において、電解質膜の外寸法はガス拡散層の外寸法よりも小さく、前記電解質膜は前記ガス拡散層の面内部に配置されていることを特徴とするものである。
【００２６】
上記構成を備えた本発明の請求の範囲第１項による燃料電池によれば、セパレータと対峙して第一および第二のガス拡散層表面上にそれぞれ形成したガスケットを膜電極複合体を挟んで対応する位置に容易に形成することが可能となる。また、ガスケットを第一および第二のガス拡散層を共通に貫通する貫通孔を介して一体化して形成することができるために、１工程で両面のガスケットを形成することが可能となる。また、ガスケットを第一および第二のガス拡散層を共通に貫通する貫通孔を介して一体化したことによりガスケットをガス拡散層に確実に固定することができるために、ガスケットがガス拡散層より外れたり位置ずれしたりするのを防止することが可能となる。また、ガスケット形成部のＵＥＡの厚さに関係なくガスケットの高さを任意に設定することが可能となる。
【００２７】
また、上記構成を備えた本発明の請求の範囲第２項による燃料電池によれば、ガスケットと絶縁スペーサとを一体化形成するとともにガスケット材料含浸部もこれを一体化成形することが可能となる。また、第一または第二のガス拡散層に設けた貫通孔を介してガスケットと絶縁スペーサとが繋がっていることによりガスケットおよび絶縁スペーサをガス拡散層に確実に固定することができるため、ガスケットがガス拡散層より外れたり位置ずれしたりするのを防止することが可能となる。
【００２８】
また、上記構成を備えた本発明の請求の範囲第３項による燃料電池によれば、セパレータと対峙して第一および第二のガス拡散層表面上にそれぞれ形成したガスケットを膜電極複合体を挟んで対応する位置に容易に形成できる。また、ガスケットを第一および第二のガス拡散層の端部を覆い一体化して形成したために、１工程で両面のガスケットを形成することが可能となり、併せてガスケットをＵＥＡ端部でコの字に形成することが可能となり、ＵＥＡ端部の絶縁を確保することができるとともに、ガス拡散層端部、ガス拡散層と絶縁スペーサ界面または絶縁スペーサ界面からの反応ガスリークを確実に防止することが可能となる。
【００２９】
また、上記構成を備えた本発明の請求の範囲第４項による燃料電池によれば、予めＵＥＡを一体化した後にガスケットを形成することにより、セパレータと対峙して第一および第二のガス拡散層表面上にそれぞれ形成したガスケットを、膜電極複合体を挟んで対応する位置に容易に形成することが可能となる。また、ガスケットをＵＥＡ一体化後に形成するために、１工程で両面のガスケットを形成することが可能となる。また、ＵＥＡ一体化前に、予めガスケット形成部へのガスケット材料含浸とガスケット形成を同時に実施することによりガスケットをガス拡散層に固定することが可能となる。
【００３０】
また、上記請求の範囲第３項または第４項における作用に加えて、上記構成を備えた本発明の請求の範囲第５項による製造方法によれば、ガスケット形成部位に接着剤を塗布することにより、ガスケットをガス拡散層に固定することが可能となる。
【００３１】
また、上記構成を備えた本発明の請求の範囲第６項による製造方法によれば、上記した請求の範囲第５項と同等の作用に加え、ガスケット形成部位に接着剤を塗布することにより、ガスケットをガス拡散層に固定することが可能となる。更に本形成方法であれば、短時間で多量の処理が可能になる。
【００３２】
また、上記構成を備えた本発明の請求の範囲第７項による製造方法によれば、接着性ゴム材料を使用することにより、上記した請求の範囲第６項と同等の作用を奏する。
【００３３】
また、上記構成を備えた本発明の請求の範囲第８項による製造方法によれば、ガス拡散層の表面粗さを確保し、これにガスケットを形成することにより、上記した請求の範囲第６項と同等の作用を奏する。
【００３４】
また、上記請求の範囲第１項ないし第４項の何れかにおける作用に加えて、上記構成を備えた本発明の請求の範囲第９項による燃料電池によれば、上記した請求の範囲第１項ないし第４項と同等の作用に加え、ガス拡散層の気孔にフィラーとして記載の材料を含浸することにより、気孔率を容易に低減することが可能となる。前記フィラーは、ガス拡散層を形成する材料と同種あるいは異種であっても良い。
【００３５】
また、上記構成を備えた本発明の請求の範囲第１０項による燃料電池によれば、上記した請求の範囲第１項ないし第４項と同等の作用に加え、かさ密度を高くすることにより、気孔率を低減することが可能となる。尚、この請求の範囲第１０項では、ガス拡散層を製造するときにガスケット形成部位の目付量を増やしたり、ガスケット形成部位を圧縮したりすることにより気孔率を低減する。後者のガスケット形成部位を圧縮することにより気孔率を低減する場合には、目付量は同じでもガスケット形成部位のみが過剰に圧縮されるために、この部分の空隙量が少なく、この部分のみが他の部分よりも薄く成形される。
【００３６】
また、上記構成を備えた本発明の請求の範囲第１１項による燃料電池によれば、上記した請求の範囲第１項ないし第４項と同等の作用に加え、ガス拡散層に含浸する材料とガスケット材料とを異種とした場合には、それぞれの処理に最適な材料を選択することが可能となる。また、ガス拡散層に本項記載のフィラーを含浸することによって含浸部の剛性ないし強度を高くすることが可能であり、またガス拡散層のカーボン繊維の固定を容易化することが可能となる。
【００３７】
また、上記構成を備えた本発明の請求の範囲第１２項によるガス拡散層によれば、上記した請求の範囲第１項ないし第４項と同等の作用に加え、ガス拡散層に本項記載のフィラーを含浸することによって含浸部の剛性ないし強度を高くすることが可能であり、またガス拡散層のカーボン繊維を固定化することが可能となる。また、絶縁スペーサがガス拡散層に固定されているために、ＵＥＡの一体化接着を容易化することが可能となる。
【００３８】
また、上記構成を備えた本発明の請求の範囲第１３項によるガス拡散層によれば、上記した請求の範囲第１項ないし第４項と同等の作用を奏することが可能となる。
【００３９】
また、上記構成を備えた本発明の請求の範囲第１４項による製造方法によれば、上記した請求の範囲第１項ないし第４項と同等の作用に加え、ガスケット形成と含浸処理とが同じに実施できるために、工程短縮が可能になる。
【００４０】
また、上記構成を備えた本発明の請求の範囲第１５項による燃料電池によれば、上記した請求の範囲第１項ないし第４項と同等の作用を奏することが可能となる。
【００４１】
また、上記構成を備えた本発明の請求の範囲第１６項による燃料電池によれば上記した請求の範囲第１項ないし第４項と同等の作用に加え、ガスケットがセパレータに形成した溝に収まり、スタックを締め付けたときにガスケットが溝の中に完全に収納されることになる。また、端部でも中央部と同様、ＵＥＡとセパレータとが接触することになる。
【００４２】
更にまた、上記構成を備えた本発明の請求の範囲第１７項による燃料電池によれば、上記した請求の範囲第１項ないし第４項と同等の作用に加え、比較的高価な電解質膜の使用量を減量することが可能となる。
【００４３】
上記各請求項における「気孔率が低い」または「気孔率を低くする」等の表現は、多孔質体よりなるガス拡散層において、他の部分よりもガスケット形成部位の気孔率を低くすることによってこの部分の剛性ないし強度を高くすることであり、このような構造の低気孔率部分上にガスケットを形成することにより、ガスケットの形成を容易化することを意味している。また、形成されるガスケットの寸法形状等が標準化されるため（予定通りの形状に形成し易くなるため）、優れたシール性を確保することが可能となり、更に組立作業を容易化することが可能となることを意味している。更に、ガス拡散層は多孔質構造であるので、ガス拡散層の層方向のガスリーク防止の効果を発揮していることも意味している。含浸材はその硬さ等に応じて適宜必要な量を含浸させ、またその含浸率は、含浸する物質の剛性、形状または含浸方法等によって異なることになる。
【００４４】
ガス拡散層の気孔率は、一般的には６０〜９０％であり、ガスケット形成部位の気孔率が触媒層と接する部位と比較して低いときは、前記フィラーの硬さ、形状、含浸方法にもよるが、おおむねその気孔の２％から１００％に相当するが、一般的には５０％程度以上である。
【００４５】
ガス拡散層のガスケット形成部位に塗布する接着剤としては、ガスケットとして用いるゴムの種類によって、シリコーン系接着剤、フェノール系接着剤、エポキシ系接着剤、アクリル系接着剤、クマロン・インデン系接着剤等の熱可塑性樹脂、熱硬化性樹脂、ゴムをベースとした接着剤、エポキシ基、アミノ基やビニル基等の官能基を含有するシラン系カップリング剤やチタン系カップリング剤等の接着用プライマー類、前記熱可塑性樹脂系接着剤、熱硬化性接着剤またはゴム系接着剤に接着用プライマー類を配合した接着剤が適宜用いられる。
【００４６】
ガス拡散層のガスケット形成部位の表面粗さとしては、０．１μｍ以上、好ましくは１μｍ以上であれば、ガスケットを形成するゴムとの密着性が充分確保できる表面粗さとして好都合である。一般的にはガス拡散層自体は多孔質構造であるため、この表面粗さ範囲に入っているものがあるが、前記フィラーとその量、その含浸方法等により、適宜、密着性に充分な表面粗さの確保が必要となる。
【００４７】
上記したように、含浸する物質（含浸材）としては、ゴム、樹脂、カーボンまたは無機材料等が好適である。
【００４８】
このうち先ず、含浸するゴムとしては、エチレンプロピレンゴム、フッ素ゴム、シリコーンゴム、フルオロシリコーンゴム、ブチルゴム、水素添加スチレンブタジエンゴム、水素添加スチレンイソプレンゴム、アクリルゴムもしくはフルオロアクリルゴム等の飽和系ゴムまたはポリエステル系エラストマー、ポリオレフィン系エラストマーもしくはポリアミド系エラストマー等の飽和系エラストマー等が用いられ、これらを加熱・加圧して含浸させ、またはこれらの溶液もしくはラテックスを含浸させる。また、液状シリコーンゴム、液状フルオロシリコーンゴム、液状フッ素ゴム、液状ブチルゴムまたは液状エチレンプロピレンゴム等の飽和系液状ゴム等が用いられ、これらを加熱、加圧もしくは加熱・加圧してまたは溶液にして含浸させる。
【００４９】
含浸する樹脂としては、熱硬化性樹脂または熱可塑性樹脂等が用いられる。熱硬化性樹脂は、常温で液状または加熱することで液状化するため、そのままでもまたは溶剤等により希釈することにより用いられる。熱可塑性樹脂の場合は、加熱・加圧することにより、または溶剤等により希釈するかまたはエマルジョンとして用いられる。含浸方法は、その性状（主として粘度）により上記方法が適宜選ばれる。熱硬化性樹脂としては、シリコーン系樹脂、エポキシ樹脂、フェノール樹脂、熱硬化型ポリイミド樹脂またはジアリルフタレート樹脂等が用いられ、これらの熱硬化性樹脂のプレポリマーをガス拡散層に含浸させる。熱可塑性樹脂としては、ポリオレフィン系樹脂、ポリスルホン系樹脂、ポリエステル系樹脂、ポリアミド系樹脂、ポリイミド系樹脂、ポリアミドイミド系樹脂、ポリカーボネ系樹脂、フッ素系樹脂、ポリエーテルイミド、ポリエーテルエーテルケトン、ポリスチレン、ポリフェニレンスルフィドまたはポリフェニレンエーテル等が用いられ、これらの樹脂を加熱溶融状態として、良溶剤に溶解して溶液状態として、または樹脂を微粒子状に水等の液体に分散した分散液の状態として、ガス拡散層に含浸させる。プレポリマーまたは分散液の粘度は、ガス拡散層に含浸可能な範囲であれば良く、含浸方法・含浸条件によって粘度は異なるが、おおむね１００〜１０４Ｐａ・ｓ程度である。
【００５０】
含浸するカーボンとしては、カーボン粉末、カーボンブラック、グラファイト粉末、カーボン繊維またはグラファイト繊維等が用いられ、例えば粉体を液体に分散して、加圧スプレーまたは加圧注入等により含浸させる。また、これらの粉体をゴム、樹脂の溶液または分散液に加えて、その性状（主として粘度）に合わせて請求の範囲第７項記載の方法等により含浸しても良い。
【００５１】
含浸する無機材料としては、ガラス粉末、ガラス繊維、またはゾルからゲルに変化して無機材料となる物質等が用いられる。また、これらの粉体をゴム、樹脂の溶液または分散液に加えて、その性状（主として粘度）に合わせて請求の範囲第７項記載の方法等により含浸する。
【００５２】
ガスケットとして用いるゴムは、上記ガス拡散層のガスケット部位に含浸するゴムと同種、同じ系統のゴムまたは異質のゴムをその性状（主として粘度）に合わせて請求の範囲第７項記載の方法等により成形し、例えば、液状ゴムであれば請求の範囲第７項記載の何れの方法でも用いられる。高粘度のゴムであれば通常射出成形または圧縮成形法が用いられる。接着性ゴムとしては、ゴム自体が接着性を有するゴム、またはゴムに接着性を付与する接着改良剤を添加したゴム等が用いられ、その例として、自己接着性液状シリコーンゴム、自己接着性液状フッ素ゴム、またはフッ素ゴムにエポキシ系接着剤もしくはフェノール系接着剤等を配合したゴム等を挙げることができる。
【００５３】
絶縁スペーサは、液状ゴム、熱硬化性樹脂または熱可塑性樹脂により成形することができる。液状ゴムを使用する場合は、ガス拡散層に含浸する液状ゴムまたはガスケットを形成する液状ゴムと同種の材料を使用し、同時成形することができる。また、熱硬化性樹脂または熱可塑性樹脂を使用する場合は、ガス拡散層に含浸する樹脂と同種のものを使用し、同時成形することができる。もちろん、上記とは異なる種類の材料により別途形成しても良い。熱可塑性樹脂としてはポリテトラフルオロエチレン（ＰＴＦＥ）等のフッ素系樹脂やポリオレフィン等が適している。
【発明を実施するための最良の形態】
【００５４】
つぎに本発明の実施例を図面にしたがって説明する。
【００５５】
第一実施例・・・
第１図は、絶縁スペーサとしてガスケットと異種材料のシートを予め挿入してＵＥＡを作成後、ガスケットを形成した第一の例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間にガスケット１５，１６とは異種の材料のシートよりなる絶縁スペーサ１２，１３が介装されている。含浸部１０，１１および絶縁スペーサ１２，１３には貫通孔１４が厚さ方向に貫通するように所要数形成されている。セパレータ８，９と対峙してガス拡散層５，６におけるガスケット形成部位である含浸部１０，１１の表面上にはゴム状弾性材製のガスケット１５，１６が配置されており、このガスケット１５，１６同士は貫通孔１４を介して一体成形されている。セパレータ８，９にはガスケット１５，１６に対応して溝状のガスケット受入部１７，１８が形成されている。電解質膜２はその寸法をガス拡散層５，６の寸法より小さく設定されており、よって電解質膜２は貫通孔１４に到達していない。電解質膜２は少なくとも触媒層３，４の端部よりも突出していれば良い。
【００５６】
第二実施例・・・
第２図は、絶縁スペーサとしてガスケットと異種材料のシートを予め挿入してＵＥＡを作成後、ガスケットを形成した第二の例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間にガスケット１５，１６とは異種の材料のシートよりなる絶縁スペーサ１２，１３が介装されている。含浸部１０，１１および絶縁スペーサ１２，１３には貫通孔１４が厚さ方向に貫通するように所要数形成されている。セパレータ８，９と対峙してガス拡散層５，６におけるガスケット形成部位である含浸部１０，１１の表面上にはゴム状弾性材製のガスケット１５，１６が配置されており、このガスケット１５，１６同士は貫通孔１４を介して一体成形されている。セパレータ８，９にはガスケット１５，１６に対応して溝状のガスケット受入部１７，１８が形成されている。電解質膜２はその寸法をガス拡散層５，６の寸法と同等に設定されていて電解質膜２は貫通孔１４に到達しており、よってこの電解質膜２にも貫通孔１４が形成されている。含浸部１０，１１の含浸処理は、ＵＥＡ７一体化処理前に予め実施しても、ＵＥＡ７一体化後、ガスケット１５，１６形成時に同時に含浸しても良い。
【００５７】
第三実施例・・・
第３図は、絶縁スペーサを含浸部ガスケット材料と同材料で予め形成してＵＥＡを作成後、ガスケットを形成した例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間に、このガスケット材料含浸部１０，１１と同種の材料よりなる絶縁スペーサ１２，１３が一体成形されて配置されている。含浸部１０，１１および絶縁スペーサ１２，１３には貫通孔１４が厚さ方向に貫通するように所要数形成されている。セパレータ８，９と対峙してガス拡散層５，６におけるガスケット形成部位である含浸部１０，１１の表面上にはゴム状弾性材製のガスケット１５，１６が配置されており、このガスケット１５，１６同士は貫通孔１４を介して一体成形されている。セパレータ８，９にはガスケット１５，１６に対応して溝状のガスケット受入部１７，１８が形成されている。電解質膜２はその寸法をガス拡散層５，６の寸法より小さく設定されているが、ガス拡散層５，６の寸法と同等であっても良く、この場合には電解質膜２にも貫通孔１４が形成される。
【００５８】
第四実施例・・・
第４図は、電解質膜を絶縁スペーサとしてＵＥＡを作成後、ガスケットを形成した例を示している。この例によれば、ガスケット形成部のＵＥＡ厚さが反応部より薄くなっていても適切なガスケットを形成することができる。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法より大きく設定されていて、その平面方向突出部分に予めガスケット成形材料が含浸せしめられることによって気孔率の比較的低い含浸部１０，１１が形成されている。上記第一ないし第三実施例と異なって、この含浸部１０，１１同士の間に固有の絶縁スペーサは配置されておらず、電解質膜２が絶縁スペーサとしての機能を兼ねてガス拡散層５，６の含浸部１０，１１に直接接触している。含浸部１０，１１は、電解質膜２を接触させるため、ガスケット１５，１６を形成するゴムにより集束方向に変形せしめられている。含浸部１０，１１および電解質膜２には貫通孔１４が厚さ方向に貫通するように所要数形成されている。セパレータ８，９と対峙してガス拡散層５，６におけるガスケット形成部位である含浸部１０，１１の表面上にはゴム状弾性材製のガスケット１５，１６が配置されており、ガスケット１５，１６同士は貫通孔１４を介して一体成形されている。セパレータ８，９には、ガスケット１５，１６に対応して溝状のガスケット受入部１７，１８が形成されている。電解質膜２の寸法はガス拡散層５，６の寸法と同等とされている。
【００５９】
第五実施例・・・
第５図は、絶縁スペーサとガスケットとを予め一体成形した後にＵＥＡを作成した例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間にガスケット１５，１６と同種の材料よりなる絶縁スペーサ１２，１３がそれぞれ介装されている。含浸部１０，１１には貫通孔１４が厚さ方向に貫通するように形成されている。セパレータ８，９と対峙してガス拡散層５，６におけるガスケット形成部位である含浸部１０，１１の表面上にはゴム状弾性材製のガスケット１５，１６がそれぞれ配置されており、ガスケット１５，１６は貫通孔１４を介して絶縁スペーサ１２，１３とそれぞれ一体成形されている。セパレータ８，９にはガスケット１５，１６に対応して溝状のガスケット受入部１７，１８が形成されている。電解質膜２はその寸法をガス拡散層５，６の寸法よりも小さく設定されているが、ガス拡散層５，６の寸法と同等であっても良い。
尚、本実施例では、絶縁スペーサ１２と１３が別体である例を示しているが、前記の絶縁スペーサ１２と１３が一体化された絶縁スペーサとして形成されていても良い。
【００６０】
第六実施例・・・
第６図は、絶縁スペーサとガスケットとを予め一体成形した後にＵＥＡを作成した他の例を示す。ガス拡散層５，６の含浸部１０，１１に形成したガスケット１５，１６と絶縁スペーサ１２，１３はそれぞれ一体化されている。含浸部１０，１１にフェノール樹脂を含浸した後に、貫通孔１４を開け、熱可塑性樹脂シートからなる絶縁スペーサ１２，１３を配置し、液状シリコーンゴムによりガスケット１５，１６を形成することにより、前記ガスケット１５，１６と前記絶縁スペーサ１２，１３とをそれぞれ一体化している。
【００６１】
第七実施例・・・
第７図は、絶縁スペーサとガスケットとを予め一体成形した後にＵＥＡを作成した他の例を示す。ガス拡散層５，６の含浸部１０，１１に形成したガスケット１５，１６と絶縁スペーサ１２，１３はそれぞれ一体化されている。ガス拡散層５，６に貫通孔１４を開け、熱可塑性樹脂シートからなる絶縁スペーサ１２，１３を配置し、液状シリコーンゴムにより含浸部１０，１１へのシリコーンゴム含浸およびガスケット１５，１６形成を同時に行なうとともに、前記ガスケット１５，１６と前記絶縁スペーサ１２，１３をそれぞれ一体化している。
【００６２】
第八実施例・・・
第８図は、絶縁スペーサとしてガスケットと異種材料のシートを予め挿入してＵＥＡを作成後、ガスケットを形成した第三の例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間にガスケット１５，１６とは異種の材料のシートよりなる絶縁スペーサ１２，１３が介装されている。セパレータ８，９と対峙してガス拡散層５，６におけるガスケット形成部位である含浸部１０，１１の表面上にはゴム状弾性材製のガスケット１５，１６が配置されており、このガスケット１５，１６同士は断面略コ字形をなす連結部１９を介して一体成形されている。連結部１９はガス拡散層５，６の端部を覆い、また同時に絶縁スペーサ１２，１３の端部を覆っている。セパレータ８，９にはガスケット１５，１６に対応して段差状のガスケット受入部１７，１８が形成されている。電解質膜２はその寸法をガス拡散層５，６の寸法よりも小さく設定されているが、ガス拡散層５，６の寸法と同等であっても良い。
【００６３】
第九実施例・・・
第９図は、絶縁スペーサとしてガスケットと異種材料のシートを予め挿入してＵＥＡを作成後、ガスケットを形成した第四の例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間にガスケット１５，１６とは異種の材料のシートよりなる絶縁スペーサ１２，１３が介装されている。セパレータ８，９と対峙してガス拡散層５，６におけるガスケット形成部位である含浸部１０，１１の表面上にはゴム状弾性材製のガスケット１５，１６が配置されており、このガスケット１５，１６はそれぞれが接着剤等によって含浸部１０，１１に接合されている。セパレータ８，９にはガスケット１５，１６に対応して溝状のガスケット受入部１７，１８が形成されている。電解質膜２はその寸法をガス拡散層５，６の寸法よりも小さく設定されているが、ガス拡散層５，６の寸法と同等であっても良い。
【００６４】
第十実施例・・・
第１０図は、ＵＥＡ一体化前に予めガスケット材料含浸部へのガスケット材料含浸とガスケット形成と絶縁スペーサ形成を実施した例を示している。
すなわち、電解質膜２の両面に触媒層３，４が配置されて膜電極複合体１が形成されるとともに、この膜電極複合体１の両面にガス拡散層５，６が配置されてＵＥＡ７が形成されており、このＵＥＡ７の両面にセパレータ８，９が配置される。カーボン繊維等の多孔質体よりなるガス拡散層５，６は、その寸法を触媒層３，４の寸法よりも大きく設定されていて、その平面方向突出部分に予めガスケット成形材料が含浸されることによって気孔率の比較的低い含浸部１０，１１が形成されており、この含浸部１０，１１同士の間にガスケット１５，１６と同種の材料よりなる絶縁スペーサ１２，１３が介装されている。セパレータ８，９と対峙してガス拡散層５，６におけるガスケット形成部位である含浸部１０，１１の表面上にはゴム状弾性材製のガスケット１５，１６が配置されており、このガスケット１５，１６はそれぞれが接着剤等によって含浸部１０，１１に接合されている。セパレータ８，９にはガスケット１５，１６に対応して溝状のガスケット受入部１７，１８が形成されている。電解質膜２はその寸法をガス拡散層５，６の寸法よりも小さく設定されているが、ガス拡散層５，６の寸法と同等であっても良い。
【００６５】
第十一実施例・・・
第１１図は、ガス拡散層の単品第一例として、ガス拡散層のガスケット材料含浸部へシリコーンゴムを含浸した例を示しており、すなわち、ガス拡散層５におけるガスケット形成部位にシリコーンゴムが含浸されて含浸部１０が形成されている。
【００６６】
第十二実施例・・・
第１２図は、ガス拡散層の単品第二例として、ガス拡散層のガスケット材料含浸部へのシリコーンゴム含浸処理とシリコーンゴムの絶縁スペーサ形成処理を一体化で行なった例を示しており、すなわち、ガス拡散層５におけるガスケット形成部位にシリコーンゴムが含浸されて含浸部１０が形成されるとともに、この含浸部１０の一方の面に同じくシリコーンゴムよりなる絶縁スペーサ１２が一体成形されている。
【００６７】
第十三実施例・・・
第１３図は、ガス拡散層の単品第三例として、ガス拡散層のガスケット材料含浸部へのシリコーンゴム含浸処理とシリコーンゴムのガスケット形成処理と絶縁スペーサ形成処理を一体化で行なった例を示しており、すなわち、ガス拡散層５におけるガスケット形成部位にシリコーンゴムが含浸されて含浸部１０が形成されるとともに、この含浸部１０の一方の面に同じくシリコーンゴムよりなる絶縁スペーサ１２が一体成形され、含浸部１０の反対側の面に同じくシリコーンゴムよりなるガスケット１５が一体成形されている。
【００６８】
第十四実施例・・・
第１４図（Ａ）は、ガス拡散層の単品第四例として、ガス拡散層５のガスケット形成部位を圧縮してかさ密度を高めた後、ガスケット１５，１６を形成せしめた例であり、同図（Ｂ）は、ガス拡散層５のガスケット形成部位を圧縮してかさ密度を高めるとともに、ガスケット材料含浸部１０へのシリコーンゴム含浸処理とシリコーンゴムのガスケット１５，１６形成処理を一体化で行なった例を示している。すなわち、同図（Ｂ）は、ガス拡散層５におけるガスケット形成部位にシリコーンゴムが含浸されて含浸部１０が形成されるとともに、この含浸部１０の両面にそれぞれシリコーンゴムよりなるガスケット１５，１６が一体成形されている。
【００６９】
第十五実施例・・・
つぎに燃料電池の製造方法の一例を示すと、以下のとおりである。
すなわち先ず、第１５図に示すように、上記第十二実施例と同じ要領で、ガス拡散層５のガスケット材料含浸部１０へのガスケット材料含浸処理とガスケット材料の絶縁スペーサ１２形成処理を一体化で行なってガス拡散層５を形成し、次いで第１６図に示すように、膜電極複合体１の両面にガス拡散層５，６を接着一体化してＵＥＡ７を形成する。次いで第１７図に示すように、所要数の貫通孔１４，１５およびマニホールド２０を貫通形成し、次いで第１８図に示すように、ガスケット１５，１６を形成し、次いで第１９図に示すように、セパレータ８，９を配置してスタックを組み立てる。第２０図は、上記の製造方法にて組み立てた第１９図の電池スタックにおいて、反応ガスをセパレータ面内に供給するためのガス導入部（ガス連絡溝）６２を含む断面図を示している。ガス連絡溝６２にはガス拡散層５のガスケット材料含浸部１０が対向していることから、従来必要としていたスペーサ６３が不要となっている。また、ガス連絡溝６２と対向するガス拡散層５のガスケット材料含浸部１０にはガスケットを設ける必要がないために、貫通孔を設けていない。
【発明の効果および産業上の利用可能性】
【００７０】
本発明は、以下の効果を奏する。
【００７１】
すなわち先ず、上記構成を備えた本発明の請求の範囲第１項による燃料電池においては、上記構成および作用により、スタッキング後の締付けによるセパレータおよびＵＥＡの破損を防止することができる。また、全てのガスケットに均一な締付け圧力をかけることができ、確実に良好なシールが得られ、発電効率の向上とともに安全性を確保することができる。また、ガスケットの製造コストを低減することができる。また、セパレータとＵＥＡを交互に積層する積層工程において、作業が簡単になり自動化することができる。このことによりスタック製作費用を削減することができる。また、積層に分解が必要になった場合でも、セパレータ、ガスケット、ＵＥＡなど構造材料を破損することなく容易に作業を進められることから、構造材料の再利用、修理が可能になる。また、ガスケット形成部のＵＥＡの厚さに関係なく、良好なシール性能を得ることができる。
【００７２】
また、上記構成を備えた本発明の請求の範囲第２項による燃料電池においては上記構成および作用により、ガスケット、絶縁スペーサ、ガスケット材料含浸部を容易に形成できることから、スタック製作費用を削減することができる。また絶縁スペーサを容易にガス拡散層に配置することができる。また、全てのガスケットに均一な締付け圧力をかけることができ、確実に良好なシールが得られ、発電効率の向上とともに安全性を確保することができる。また、セパレータとＵＥＡを交互に積層する積層工程において、作業が簡単になり自動化することができる。このことによりスタック製作費用を削減することができる。また、積層に分解が必要になった場合でも、セパレータ、ガスケット、ＵＥＡなど構造材料を破損することなく容易に作業を進められることから、構造材料の再利用、修理が可能になる。
【００７３】
また、上記構成を備えた本発明の請求の範囲第３項による燃料電池においては上記構成および作用により、スタッキング後の締付けによるセパレータおよびＵＥＡの破損を防止することができる。また、全てのガスケットに均一な締付け圧力をかけることができ、確実に良好なシールが得られ、発電効率の向上とともに安全性を確保することができる。また、ガスケットの製造コストを低減することができる。また、ガス拡散層端部、ガス拡散層と絶縁スペーサ界面または絶縁スペーサ界面からの反応ガスリークを確実に防止できることから、安全性を向上することができる。
【００７４】
また、上記構成を備えた本発明の請求の範囲第４項による燃料電池においては上記構成および作用により、スタッキング後の締付けによるセパレータおよびＵＥＡの破損を防止することができる。また、全てのガスケットに均一な締付け圧力をかけることができ、確実に良好なシールが得られ、発電効率の向上とともに安全性を確保することができる。また、ガスケットの製造コストを低減することができる。また、セパレータとＵＥＡを交互に積層する積層工程において、作業が簡単になり自動化することができる。このことによりスタック製作費用を削減することができる。また、積層に分解が必要になった場合でも、セパレータ、ガスケット、ＵＥＡなど構造材料を破損することなく容易に作業を進められることから、構造材料の再利用、修理が可能になる。
【００７５】
また、上記構成を備えた本発明の請求の範囲第５項による製造方法においては上記構成および作用により、セパレータとＵＥＡを交互に積層する積層工程において、作業が簡単になり自動化することができる。このことによりスタック製作費用を削減できる。また、積層に分解が必要になった場合でも、セパレータ、ガスケット、ＵＥＡなど構造材料を破損することなく容易に作業を進められることから、構造材料の再利用、修理が可能になる。
【００７６】
また、上記構成を備えた本発明の請求の範囲第６項による製造方法においては上記構成および作用により、上記した請求の範囲第３項または第４項と同等の効果に加え、以下の効果がある。すなわち、セパレータとＵＥＡを交互に積層する積層工程において、作業が簡単になり自動化することができる。このことによりスタック製作費用を削減することができる。また積層に分解が必要になった場合でも、セパレータ、ガスケット、ＵＥＡなど構造材料を破損することなく容易に作業を進められることから、構造材料の再利用、修理が可能になる。また、量産化時に大幅な製造コスト削減が可能になる。
【００７７】
また、上記構成を備えた本発明の請求の範囲第７項による製造方法においては上記構成および作用により、接着性ゴム材料を使用することにより、上記した請求の範囲第６項と同等の効果がある。
【００７８】
また、上記構成を備えた本発明の請求の範囲第８項による製造方法においては上記構成および作用により、ガス拡散層の表面粗さを確保してこれにガスケットを形成することにより、上記した請求の範囲第６項と同等の効果がある。
【００７９】
また、上記構成を備えた本発明の請求の範囲第９項による燃料電池においては上記構成および作用により、上記した請求の範囲第１項ないし第４項と同等の効果に加え、以下の効果がある。すなわち、ガス拡散層へのガスケットの形成が容易になり、製造コストを低減することができる。また、ガス拡散層端部からの反応ガスリークを防止することができ、発電効率の向上とともに安全性を確保することができる。
【００８０】
また、上記構成を備えた本発明の請求の範囲第１０項による燃料電池においては、上記構成および作用により、上記した請求の範囲第１項ないし第４項と同等の効果に加え、以下の効果がある。すなわち、ガス拡散層へのガスケットの形成が容易になり、製造コストを低減することができる。また、ガス拡散層端部からの反応ガスリークを防止でき、発電効率の向上とともに安全性を確保することができる。また、ガスケット形成部位に接着剤を塗布することなしに、ガスケットをガス拡散層に固定することができる。
【００８１】
また、上記構成を備えた本発明の請求の範囲第１１項による燃料電池においては、上記構成および作用により、上記した請求の範囲第１項ないし第４項と同等の効果に加え、以下の効果がある。すなわち、ガス拡散層の端部からのガスケットリークに対して高いガスシール性能を得ることができるとともに、ガス拡散層とセパレータの界面漏れに対して高いガスシール性能を得ることができ、発電効率の向上とともに安全性を確保することができる。また、ＵＥＡ一体化後に貫通孔を設けるときに、アノード極、カソード極のガス拡散層の短絡を防止することができる。また、積層締付けによるガス拡散層端部の圧縮座くつを防止することができる。
【００８２】
また、上記構成を備えた本発明の請求の範囲第１２項によるガス拡散層においては、上記構成および作用により、上記した請求の範囲第１項ないし第４項と同等の効果に加え、以下の効果がある。すなわち、ＵＥＡ一体化後に貫通孔を設けるときにアノード極、カソード極のガス拡散層の短絡を防止することができる。また、積層締付けによるガス拡散層端部の圧縮座くつを防止することができる。また、ＵＥＡの製造コストを低減することができる。また、一体化接着のミスが少なくなり、歩留まりを向上することができる。
【００８３】
また、上記構成を備えた本発明の請求の範囲第１３項によるガス拡散層においては、上記構成および作用により、上記した請求の範囲第１項ないし第４項と同等の効果がある。
【００８４】
また、上記構成を備えた本発明の請求の範囲第１４項による製造方法においては、上記構成および作用により、上記した請求の範囲第１項ないし第４項と同等の効果に加え、ＵＥＡ製造コストを低減することができる。
【００８５】
また、上記構成を備えた本発明の請求の範囲第１５項による燃料電池においては、上記構成および作用により、上記した請求の範囲第１項ないし第４項と同等の効果がある。
【００８６】
また、上記構成を備えた本発明の請求の範囲第１６項による燃料電池においては、上記構成および作用により、上記した請求の範囲第１項ないし第４項と同等の効果に加え、以下の効果がある。すなわち、ＵＥＡとセパレータを交互に積層するときに、特別な位置合わせ治具が不要となり、容易に積層が可能となるために、スタック製造コストを低減することができる。また、高いシール性能を発揮することができ、発電効率の向上とともに安全性を確保することができる。また積層体締付け時の端部でのＵＥＡおよびセパレータの屈折変形による破損を防止することができる。
【００８７】
更にまた、上記構成を備えた本発明の請求の範囲第１７項による燃料電池においては、上記構成および作用により、上記した請求の範囲第１項ないし第４項と同等の効果に加え、ＵＥＡの製造コストを低減することができる。
【図面の簡単な説明】
【００８８】
【図１】本発明の第一実施例に係る燃料電池の要部断面図
【図２】本発明の第二実施例に係る燃料電池の要部断面図
【図３】本発明の第三実施例に係る燃料電池の要部断面図
【図４】本発明の第四実施例に係る燃料電池の要部断面図
【図５】本発明の第五実施例に係る燃料電池の要部断面図
【図６】本発明の第六実施例に係る燃料電池の要部断面図
【図７】本発明の第七実施例に係る燃料電池の要部断面図
【図８】本発明の第八実施例に係る燃料電池の要部断面図
【図９】本発明の第九実施例に係る燃料電池の要部断面図
【図１０】本発明の第十実施例に係る燃料電池の要部断面図
【図１１】本発明の第十一実施例に係るガス拡散層の要部断面図
【図１２】本発明の第十二実施例に係るガス拡散層の要部断面図
【図１３】本発明の第十三実施例に係るガス拡散層の要部断面図
【図１４】（Ａ）および（Ｂ）は本発明の第十四実施例に係るガス拡散層の要部断面図
【図１５】本発明の第十五実施例に係る燃料電池の製造方法の工程説明図
【図１６】本発明の第十五実施例に係る燃料電池の製造方法の工程説明図
【図１７】本発明の第十五実施例に係る燃料電池の製造方法の工程説明図
【図１８】本発明の第十五実施例に係る燃料電池の製造方法の工程説明図
【図１９】本発明の第十五実施例に係る燃料電池の製造方法の工程説明図
【図２０】本発明の第十五実施例に係る燃料電池の製造方法の工程説明図
【図２１】従来例に係る燃料電池の要部断面図
【図２２】従来例に係る燃料電池の要部断面図
【図１】
0004035055.tif 000002
【図２】
0004035055.tif 000003
【図３】
0004035055.tif 000004
【図４】
0004035055.tif 000005
【図５】
0004035055.tif 000006
【図６】
0004035055.tif 000007
【図７】
0004035055.tif 000008
【図８】
0004035055.tif 000009
【図９】
0004035055.tif 000010
【図１０】
0004035055.tif 000011
【図１１】
0004035055.tif 000012
【図１２】
0004035055.tif 000013
【図１３】
0004035055.tif 000014
【図１４（Ａ）】
0004035055.tif 000015
【図１４（Ｂ）】
0004035055.tif 000016
【図１５】
0004035055.tif 000017
【図１６】
0004035055.tif 000018
【図１７】
0004035055.tif 000019
【図１８】
0004035055.tif 000020
【図１９】
0004035055.tif 000021
【図２０】
0004035055.tif 000022
【図２１】
0004035055.tif 000023
【図２２】
0004035055.tif 000024